(57)【特許請求の範囲】
【請求項１】
大径のケーブル及び小径のケーブルが配置される配置面と、
前記配置面の幅方向における両端に立ち上げられた第１側部および第２側部と、
前記配置面のうち前記第１側部に寄った部位に立設された第１リブと、
前記配置面のうち前記第２側部に寄った部位に立設され、前記大径のケーブルに係止する第２リブと、
を備え、
前記第１リブは、前記第２側部側の部分に、前記大径のケーブルに係止する係止部を有しているケーブルガイド。
【請求項２】
前記第１リブが、軸方向に交互に連続して形成された溝部と突部とを有して前記大径のケーブルを構成する電線を包囲する外装材の前記溝部に入り込み可能となっている請求項１に記載のケーブルガイド。
【請求項３】
前記第２リブが、前記外装材の溝部に入り込み可能である請求項２に記載のケーブルガイド。
【請求項４】
請求項１ないし請求項３のうちいずれか一項に記載されたケーブルガイドと、
前記ケーブルガイドが取り付けられたケーブルと、を備えているワイヤハーネス。
【請求項５】
前記小径のケーブルが前記第１リブに載置されている請求項４に記載のワイヤハーネス。
【請求項６】
前記ケーブルガイドが、前記ケーブルの端末部に接続されたコネクタに取り付けられている請求項４または請求項５に記載のワイヤハーネス。
【発明の詳細な説明】
【技術分野】
【０００１】
本発明は、ケーブルガイドおよびワイヤハーネスに関する。
【背景技術】
【０００２】
従来、ケーブルの一部を保持して、ケーブルの配索方向を定めるケーブルガイドが知られている。例えば、下記特許文献１に記載されたケーブルガイドは、ケーブルを包囲するコルゲートチューブを保持するようになっている。ケーブルガイドは、半円弧状部分の両端から上方に向けて一対の直線状部分が立ち上る断面Ｕ字形状に形成されている。コルゲートチューブは半円弧状部分に載置され、テープあるいはバンドが巻き付けられることによりケーブルガイドに固定される。直線状部分は、内側に撓み変形してコルゲートチューブの外周に沿った状態になる。
【０００３】
ところで、径寸法の異なるケーブルを、一のケーブルガイドに保持させる場合がある。例えば、下記特許文献２に記載されているように、３本の太電線が１本にまとめられてなる一括型のシールド電線に沿って、２本の細電線が配索されているような場合である。このような場合には、２本の細電線を一括してビニールチューブ等に通し、シールド電線と並べてケーブルガイドに保持させることが考えられる。すなわち、小径のケーブル（ビニールチューブ）と大径のケーブル（シールド電線）とを一のケーブルガイドに保持させるのである。
ケーブルガイドは、大径、小径のケーブルを並べて配置可能な幅寸法のもの（半円弧状部分の幅寸法を増したもの）を用い、大径、小径のケーブルをケーブルガイドに並べて載置し、テープあるいはバンドで巻き付けて固定する。
【先行技術文献】
【特許文献】
【０００４】
【特許文献１】特開２０１４−１５０６０１号公報
【特許文献２】特開２０１５−１０３３７７号公報
【発明の概要】
【発明が解決しようとする課題】
【０００５】
上記のようなケーブルガイドは、ケーブルが引張り力等によってずれることのないように、バンド等によりケーブルを強く締め付けることが必要である。
しかしながら、上記のように、径寸法の異なるケーブルを並べて固定する場合には、小径のケーブルの上方（一方の直線状部分の内側）に大きな空間が形成されるため、バンド等を強く締め付けるとケーブルガイドの直線状部分が内側に大きく撓み、破損してしまう虞がある。
【０００６】
本発明は上記のような事情に基づいて完成されたものであって、径寸法の異なるケーブルを強く締め付けることが可能なケーブルガイドおよびワイヤハーネスを提供することを目的とする。
【課題を解決するための手段】
【０００７】
本発明のケーブルガイドは、ケーブルが配置される配置面と、前記配置面の幅方向における両端に立ち上げられた第１側部および第２側部と、前記配置面のうち前記第１側部に寄った部位に立設された第１リブと、を備えている。
本発明のワイヤハーネスは、前記ケーブルガイドと、前記ケーブルガイドが取り付けられたケーブルと、を備えている。
【発明の効果】
【０００８】
本発明によれば、大径のケーブルを配置面に載置し、小径のケーブルを第１リブに載置することで、小径のケーブルが第１リブの高さ寸法分だけ上方に位置するから、第１側部の内側に大きな空間が形成されない。したがって、バンド等を強く締め付けても第１側部が内側に大きく撓まないので、径寸法の異なるケーブルを強く締め付けることができる。
【図面の簡単な説明】
【０００９】
【図１】本実施例におけるケーブルガイドであって、コネクタに取り付けられてケーブルを保持した状態を示す側面図
【図２】ケーブルを保持した状態のケーブルガイドを示す正面図
【図３】ケーブルを保持した状態のケーブルガイドを示す底面図
【図４】ケーブルガイドを示す正面図
【図５】ケーブルガイドを示す底面図
【発明を実施するための形態】
【００１０】
本発明の好ましい形態を以下に示す。
本発明のケーブルガイドは、前記ケーブルが、電線と、前記電線が挿通される外装材とを有し、前記外装材が、軸方向に交互に連続して形成された溝部と突部とを有し、前記第１リブが、前記外装材の溝部に入り込み可能となっているものとしてもよい。このような構成によれば、第１リブが、外装材の溝部に係止するから、外装材の位置ずれを確実に防ぐことができる。
【００１１】
また、本発明のケーブルガイドは、前記配置面のうち前記第２側部に寄った部位に、前記外装材の溝部に入り込み可能な第２リブが立設されているものとしてもよい。このような構成によれば、第２リブが、外装材の溝部に係止するから、外装材の位置ずれをより確実に防ぐことができる。
【００１２】
また、本発明のワイヤハーネスは、前記ケーブルが、大径のケーブルと小径のケーブルとを有し、前記小径のケーブルが前記第１リブに載置されているものとしてもよい。
また、本発明のワイヤハーネスは、前記ケーブルガイドが、前記ケーブルの端末部に接続されたコネクタに取り付けられているものとしてもよい。
【００１３】
＜実施例＞
以下、本発明を具体化した一実施例について、図１〜図５を参照しつつ詳細に説明する。
本実施例におけるケーブルガイド１０は、大径の電線４２と小径の電線４３とを複数本ずつ有するワイヤハーネス４０の端末部に接続されたコネクタ４１に取り付けられるものである。コネクタ４１は、電気自動車に搭載された図示しない蓄電装置に充電する際に使用される充電用コネクタであり、車両側に搭載されるものである。以下、各構成部材において、図１の上側を上方、下側を下方、左側を前方、右側を後方とし、また図２の左側を右方、右側を左方として説明する。
【００１４】
ワイヤハーネス４０を構成する大径の電線４２と小径の電線４３とは、それぞれ別の外装材に挿通されている。大径の電線４２を包囲する外装材（以後、大径外装材４４と称する）は、溝部５１と突部５２とが軸方向に交互に連続して形成されたコルゲートチューブとされ、小径の電線４３を包囲する外装材（以後、小径外装材４５と称する）はビニールチューブとされている。大径の電線４２および大径外装材４４が大径ケーブル４６を構成し、小径の電線４３および小径外装材４５が小径ケーブル４７を構成している。
【００１５】
ケーブルガイド１０は、コネクタ４１の後面を覆うカバー部１１と、大径ケーブル４６および小径ケーブル４７が固定される固定部１２とを備えている。
カバー部１１は、コネクタ４１の後面の外周縁に沿った形状をなす周壁部１３と、周壁部１３の後端側を塞ぐ後壁部１４とを備え、前面側は開口している。カバー部１１は、図２に示すように、前方から見ると円形状をなしている。
【００１６】
周壁部１３には、コネクタ４１に設けられた係止突起４１Ａに係止可能な係止片１３Ａが、複数箇所に設けられている。複数の係止片１３Ａは、周壁部１３の周方向に所定の間隔をあけて配されている。
【００１７】
周壁部１３は、周方向における一部（下部）が開放された形態をなしている。周壁部１３の開放部１５は、一対の係止片１３Ａの間に形成されている。開放部１５の両側縁には、周壁部１３から外側（下側）に突出する突縁部１６が設けられている。突縁部１６は、周壁部１３の前後方向における全体にわたって延設されている。
【００１８】
固定部１２は、周壁部１３の下端部（開放部１５の形成部位）に設けられている。固定部１２は、カバー部１１の後壁部１４から外方（前後方向に対して直交方向）に突出している。固定部１２は、図４に示すように、カバー部１１の後壁部１４から下方に突出した底部１７と、底部１７の両側縁から前方に立ち上げられた一対の側部（以後、第１側部１８および第２側部１９と称する）と、を備えている。
【００１９】
底部１７は、図３に示すように、平板状をなしている。底部１７の前面は、大径ケーブル４６および小径ケーブル４７が配置される配置面２１とされ、後壁部１４の前面と段差なく連なっている。
【００２０】
第１側部１８および第２側部１９は、図３に示すように、配置面２１の幅方向（左右方向）における両端に立ち、配置面２１に対して略直角をなしている。第１側部１８および第２側部１９の配置面２１からの立ち上がり寸法は同等とされ、概ね大径ケーブル４６の外径寸法の半分とされている。第１側部１８および第２側部１９の厚さ寸法（図３では左右方向の寸法）は同等とされている。
【００２１】
第１側部１８および第２側部１９と底部１７との間の角部２２の内周面は、円弧形状をなす円弧面２３とされている。
第１側部１８および第２側部１９は、図３に示すように、開放部１５の突縁部１６に連なっている。突縁部１６と第１側部１８および第２側部１９とは、厚さ寸法が同じとされている。
【００２２】
第１側部１８および第２側部１９の上端部（カバー部１１側の部分）２７は、図１に示すように、底部１７からの立ち上がり寸法が、上方に向かって次第に増すような形状をなしている。また、第１側部１８および第２側部１９のうち上端部２７を除く部分は、底部１７からの立ち上がり寸法が一定とされている。
【００２３】
固定部１２の下端部（カバー部１１とは反対側の端部）には、結束バンド４９が巻き付けられる凹部２４が形成されている。凹部２４は、第１側部１８、第２側部１９および底部１７にわたって連続して凹み形成されている。結束バンド４９は、凹部２４に嵌って上下方向の位置決めがなされる。
【００２４】
また、固定部１２の下端部には、第１リブ２５および第２リブ２６が設けられている。第１リブ２５および第２リブ２６は、固定部１２の配置面２１に立設されている。図５に示すように、第１リブ２５は、第１側部１８に寄った部位に立設され、第２リブ２６は、第２側部１９に寄った部位に立設されている。第１リブ２５および第２リブ２６は、それぞれ固定部１２の幅方向における略半分の領域に形成されている。固定部１２の幅方向における第１リブ２５の形成領域は、第２リブ２６の形成領域よりも若干大きくなっている。第１リブ２５および第２リブ２６を下方から見ると、図５に示すように、第１リブ２５は横長形状、第２リブ２６は縦長形状をなしている。
【００２５】
第１リブ２５は、図４に示すように、一定の間隔をあけて複数（本実施例では３つ）が設けられている。第１リブ２５の間隔は、大径外装材４４の溝部５１の間隔に対応している。複数の第１リブ２５のうち少なくとも一の第１リブ２５は、凹部２４の形成部位に配されている。
【００２６】
すべての第１リブ２５は、同形状をなしている。第１リブ２５は、図５に示すように、底部１７から第１側部１８側の角部２２にわたって連続して内側（底部１７および角部２２から前側）に突出している。
【００２７】
第１リブ２５は、小径ケーブル４７が載置される載置部３２と、大径外装材４４に係止する係止部３３とを有している。載置部３２は、第１リブ２５のうち第１側部１８側の部分に設けられ、係止部３３は、第１リブ２５のうち第２側部１９側の部分に設けられている。係止部３３は、大径外装材４４の溝部５１に入り込み可能となっている。
【００２８】
載置部３２の突出端面は、図３に示すように、小径ケーブル４７が載置される載置面３４とされ、固定部１２の配置面２１と略平行をなしている。載置面３４は、円弧面２３の前端（第１側部１８と角部２２との間の境）と同じ高さに位置している。
【００２９】
係止部３３の突出端面は、図５に示すように、大径外装材４４の外形に沿うような弧状をなす弧状面（以後、第１弧状面３５と称する）と、第１弧状面３５に向かって、次第に突出寸法が増すように傾斜した傾斜面（以後、第１傾斜面３６と称する）とを有している。
【００３０】
第１リブ２５の上下方向における両面は、図４に示すように、角部２２を含む底部１７から第１弧状面３５に向かって次第に接近するように傾斜している。第１リブ２５の突出端面の幅寸法（上下方向の寸法）は、第１傾斜面３６および載置面３４において大きく、第１弧状面３５において最も小さくなっている。第１弧状面３５の幅寸法は、一定の寸法となっている。
【００３１】
第１傾斜面３６の幅寸法は、第２側部１９側の端から第１弧状面３５に向かって次第に小さくなっている。載置面３４の幅寸法は、第１側部１８側の端から第１弧状面３５に向かって次第に小さくなっている。載置面３４の第１側部１８側の端部の幅寸法は、第１傾斜面３６の幅寸法よりも大きくなっている。第１リブ２５の根元部分（角部２２を含む底部１７に連なる部分）の幅寸法は、全体として、第１側部１８側の端から第２側部１９側の端に向かって次第に小さくなっている。
【００３２】
第２リブ２６は、大径外装材４４に係止可能なものとされている。第２リブ２６は、大径外装材４４の溝部５１に入り込んで係止するものであり、大径外装材４４の溝部５１に対応する間隔をあけて複数（本実施例では３つ）が設けられている。すなわち、複数の第２リブ２６の上下方向の位置と、複数の第１リブ２５の上下方向の位置とが揃っている。
【００３３】
第２リブ２６は、図５に示すように、底部１７から第２側部１９にわたって連続して内側（底部１７からは前側、第２側部１９からは第１側部１８との対向面側）に突出して設けられている。第２リブ２６の前端部の突出寸法（第２側部１９からの内向きの突出寸法）は、後端部の突出寸法（底部１７からの前向きの突出寸法）に比して小さくされている。第２リブ２６の前端部の突出寸法は、大径外装材４４の溝部５１の深さ寸法と同等とされている。
【００３４】
第２リブ２６の突出端面には、図５に示すように、大径外装材４４の外形に沿うような弧状をなす弧状面（以後、第２弧状面２９と称する）が形成されている。第２弧状面２９は、第２リブ２６の前端部から後端部にわたって形成されている。第２弧状面２９の両端には、傾斜面（以後、第２傾斜面３１と称する）が形成されている。第２傾斜面３１はいずれも第２弧状面２９に向かって、次第に突出寸法が増すように傾斜している。
【００３５】
後側の第２傾斜面３１は、第１傾斜面３６と左右方向に対向している。また、後側の第２傾斜面３１から第２弧状面２９の後端部にわたる部分と、第１傾斜面３６から第１弧状面３５の全体にわたる部分とは、その間の左右方向における中心を境にして対称をなしている。
【００３６】
第２リブ２６の上下方向における両面は、図４に示すように、底部１７または第２側部１９から第２弧状面２９に向かって次第に接近するように傾斜している。第２リブ２６の突出端面の幅寸法（上下方向の寸法）は、第２傾斜面３１において大きく、第２弧状面２９において最も小さくなっている。第２傾斜面３１の幅寸法は、第２リブ２６の左右方向における両端から第２弧状面２９に向かって次第に小さくなっている。第２弧状面２９の幅寸法は一定であり、第１弧状面３５の幅寸法と同等とされている。第２リブ２６の根元部分（底部１７または第２側部１９に連なる部分）の幅寸法は、全体にわたって略一定とされている。
【００３７】
次に、本実施例におけるケーブルガイド１０を、大径ケーブル４６および小径ケーブル４７に取り付ける作業の一例を説明する。
まず、ケーブルガイド１０をコネクタ４１に取り付ける。コネクタ４１の後面から後方に引き出されている大径の電線４２および小径の電線４３を、カバー部１１の内部に収容するようにして、ケーブルガイド１０をコネクタ４１の後面に接近させる。大径の電線４２および小径の電線４３は、カバー部１１の内部において開放部１５側に屈曲され、固定部１２の配置面２１に沿った状態になる。図１に示すように、ケーブルガイド１０の係止片１３Ａは、コネクタ４１の係止突起４１Ａに係止し、ケーブルガイド１０がコネクタ４１に取り付けられる。
【００３８】
次いで、大径ケーブル４６および小径ケーブル４７を固定部１２に並べて配置する。図３に示すように、大径ケーブル４６を配置面２１に載置し、小径ケーブル４７を載置面３４に載置する。大径ケーブル４６は、第１側部１８および第２側部１９よりも前方に突出した状態になる。大径外装材４４の溝部５１には、第２リブ２６および第１リブ２５の係止部３３が入り込んだ状態になり、大径外装材４４の外周面は、第１側部１８の内周面および底部１７の配置面２１に当接した状態になる。
【００３９】
このとき、第１リブ２５の第１弧状面３５および第２リブ２６の第２弧状面２９は、溝部５１の奥端面に当接または近接した状態になる。第１リブ２５の第１弧状面３５は、大径外装材４４の後端部を左側から支持し、第２リブ２６の第２弧状面２９は、大径外装材４４の後端部を右側から支持した状態になる。これにより、大径外装材４４は軸方向（上下方向）および幅方向（左右方向）の位置決めがなされた状態になる。
【００４０】
小径ケーブル４７は、大径ケーブル４６と並んで配される。小径ケーブル４７は、第１リブ２５の高さ寸法分だけ配置面２１よりも前側に位置し、第１側部１８と同じ高さ位置に配される。小径ケーブル４７は、大径ケーブル４６の前後方向における略中心部と隣接し、大径ケーブル４６と第１側部１８とによって左右両側から挟まれた状態になる。
【００４１】
次に、結束バンド４９を巻き付ける。結束バンド４９を凹部２４に沿って巻き、強く締め付ける。第１側部１８および第２側部１９は内側に押圧され、第１側部１８は小径ケーブル４７に押し当てられ、第２側部１９は大径ケーブル４６に押し当てられる。これにより、第１側部１８および第２側部１９は、内側に大きく撓むことが制限される。
【００４２】
結束バンド４９の強い締め付け力によって、大径ケーブル４６は、底部１７と結束バンド４９とによって上下両側から強く挟持され、大径ケーブル４６および小径ケーブル４７は、第１側部１８と第２側部１９とによって左右両側から強く挟持される。これにより、大径ケーブル４６または小径ケーブル４７に比較的強い引張り力等が作用しても、大径ケーブル４６または小径ケーブル４７は、固定部１２からずれることなく、しっかりと保持される。
【００４３】
次に、上記のように構成された実施例の作用および効果について説明する。
本実施例のケーブルガイド１０は、大径ケーブル４６および小径ケーブル４７が配置される配置面２１と、配置面２１の幅方向における両端に立ち上げられた第１側部１８および第２側部１９と、配置面２１のうち第１側部１８に寄った部位に立設された第１リブ２５と、を備えている。
【００４４】
この構成によれば、大径ケーブル４６を配置面２１に載置し、小径ケーブル４７を第１リブ２５に載置することで、小径ケーブル４７が第１リブ２５の高さ寸法分だけ上方に位置するから、第１側部１８の内側に大きな空間が形成されない。したがって、結束バンド４９を強く締め付けても第１側部１８が内側に大きく撓むことを防ぐことができ、もって、径寸法の異なるケーブル４６，４７を強く締め付けることができる。
【００４５】
また、大径ケーブル４６が、電線４２と、電線４２が挿通される大径外装材４４とを有し、大径外装材４４が、軸方向に交互に連続して形成された溝部５１と突部５２とを有し、第１リブ２５が、大径外装材４４の溝部５１に入り込み可能となっている。この構成によれば、第１リブ２５が、大径外装材４４の溝部５１に係止するから、大径外装材４４の位置ずれを確実に防ぐことができる。
【００４６】
また、配置面２１のうち第２側部１９に寄った部位に、大径外装材４４の溝部５１に入り込み可能な第２リブ２６が立設されている。この構成によれば、第２リブ２６が、大径外装材４４の溝部５１に係止するから、大径外装材４４の位置ずれをより確実に防ぐことができる。
【００４７】
＜他の実施例＞
本発明は上記記述及び図面によって説明した実施例に限定されるものではなく、例えば次のような実施例も本発明の技術的範囲に含まれる。
（１）上記実施例では、大径外装材４４がコルゲートチューブ、小径外装材４５がビニールチューブとされているが、これに限らず、大径外装材および小径外装材を、これらとは異なる任意の外装材としてもよい。
（２）上記実施例では、大径ケーブル４６および小径ケーブル４７が大径外装材４４および小径外装材４５を有し、ケーブルガイド１０が両外装材４４，４５を保持しているが、これに限らず、ケーブルガイドは、外装材で包囲されていないケーブル自体（電線）を保持するものとしてもよい。
（３）上記実施例では、ワイヤハーネス４０が、大径の電線４２および小径の電線４３が複数本ずつ有しているが、これに限らず、例えば、ワイヤハーネスは、大径の電線および小径の電線を１本ずつ有するものであってもよい。
（４）上記実施例では、ケーブルガイド１０がコネクタ４１に取り付けられるものとされているが、これに限らず、ケーブルガイドはコネクタに取り付けられないものであってもよく、例えばワイヤハーネスの途中の部分や分岐部に取り付けられるものであってもよい。
【符号の説明】
【００４８】
１０…ケーブルガイド
１８…第１側部
１９…第２側部
２１…配置面
２５…第１リブ
２６…第２リブ
４０…ワイヤハーネス
４１…コネクタ
４２…大径の電線（電線）
４４…大径外装材（外装材）
４６…大径ケーブル（大径のケーブル）
４７…小径ケーブル（小径のケーブル）
５１…溝部
５２…突部
【図１】
0006561875.tif 000002
【図２】
0006561875.tif 000003
【図３】
0006561875.tif 000004
【図４】
0006561875.tif 000005
【図５】
0006561875.tif 000006